(57)【要約】【課題】   ＳＩＭを装着し無線通信機能を有する無線識別デバイスにおいて、１０ｍ程度の無線通信距離を得ることができ、無線通信以外の他の通信インターフェース（例えば、ＵＳＢを使用した通信）を使用している間でも、無線通信を行うことができる無線識別デバイスを提供する。【解決手段】  ＵＳＢ通信機能を備えた無線識別デバイスには、１０ｍ程度の無線通信距離を得るために、２．４ＧＨｚ周波数帯を利用した無線通信手段（無線コントローラ２５０とアンテナ２５１）が備えられている。タイマー回路２２０が一定時間間隔を計測するごとに、トリガー信号がＣＰＵ２００に入力され、ＳＩＭに記憶されたデータが無線通信手段で発信される。トリガー信号に基づいて前記データを発信することで、他の通信インターフェース（例えば、ＵＳＢを使用した通信）を使用している間でも、無線通信を行うことができる。【選択図】      図２
2006134171.tif 000002
【特許請求の範囲】
【請求項１】
カード状の情報記憶媒体を装着し、無線データ通信機能を備えた無線識別デバイスであって、
前記識別デバイスは、ＵＳＢを用いてコンピュータ装置とデータ通信する第１の通信手段と、前記識別デバイスに装着された前記情報記憶媒体とデータ通信する第２の通信手段と、前記情報記憶媒体から読み出したデータを、無線を利用して発信する近距離無線通信手段と、トリガ信号を生成するトリガ生成手段と、を備え、
前記近距離無線通信手段は、前記トリガ生成手段が生成した前記トリガ信号に基づいて、前記データを発信することを特徴とする無線識別デバイス。
【請求項２】
請求項１に記載の無線識別デバイスおいて、前記カード状の情報記憶媒体は、ＩＣカードまたはＳＩＭ（Subscriber Identify Module）であって、前記第２の通信手段は、ＩＳＯ７８１６規格に適合していることを特徴とする無線識別デバイス。
【請求項３】
請求項１または請求項２に記載の無線識別デバイスにおいて、前記近距離無線通信手段は、２．４ＧＨｚ周波数帯を利用した近距離無線通信手段であること特徴とする無線識別デバイス。
【請求項４】
請求項１から請求項３のいずれかに記載の無線識別デバイスにおいて、前記トリガ生成手段は、一定時間間隔を計測し、一定時間間隔が経過するごとに前記トリガ信号を発生する手段であることを特徴とする無線識別デバイス。
【請求項５】
請求項４に記載の前記無線識別デバイスにおいて、前記一定時間間隔を設定する時間間隔設定手段を備えている無線識別デバイス。
【請求項６】
請求項１から請求項３のいずれかに記載の無線識別デバイスにおいて、前記トリガ生成手段は手動でトリガ信号を発生させる手段であることを特徴とする無線識別デバイス。
【請求項７】
請求項６に記載の前記無線識別デバイスにおいて、手動でトリガ信号を発生させる前記トリガ生成手段は、押しボタンを利用した手段であることを特徴とする無線識別デバイス。
【請求項８】
請求項１から請求項３のいずれかに記載の無線識別デバイスにおいて、請求項４に記載の前記トリガ生成手段と請求項６に記載した前記トリガ生成手段とを備えていることを特徴とする無線識別デバイス。
【発明の詳細な説明】
【技術分野】
【０００１】
本発明は、所持者を識別する際に使用される識別デバイスの技術に関し、更に詳しくは、無線通信の機能を備えた識別デバイスに関する。
【背景技術】
【０００２】
小型ＩＣチップを実装したＩＣカードは、前記ＩＣチップのメモリに機密情報（例えば、認証局の証明証など）を機密に格納できるため、ネットワークのアクセス管理やパソコンの使用者管理などで識別デバイスとして使用されている。ただし、ＩＣカードを使用する際は、ＩＣカードとデータの通信を行うリーダライタが必要不可欠であり、リーダライタが予め備えられていない環境（例えば、外出先）からネットワークにリモートアクセスする場合には、ＩＣカードを使用できないため、ＩＣカードとリーダライタを一体化させた識別デバイスも開発されている。
【０００３】
例えば、本出願人に係わる特許文献１，２または３で開示しているＳＩＭ（Subscriber Identity Module）およびＳＩＭフォルダーは、ＩＣカードとリーダライタを一体化させた識別デバイスを提供する一つの発明で、ＳＩＭフォルダーにＩＳＯ７８１６規格に準じたリーダライタとＵＳＢ（Universal Serial Bus）用コネクタとを備え、このＳＩＭフォルダーにＳＩＭを装着することで、ＩＣカードとリーダライタを一体化させた識別デバイスを実現している。
【０００４】
また、特許文献２においては、上述の２つの通信インターフェースに加えて、ＳＩＭフォルダーが無線交信用のアンテナを備えることで、ＳＩＭフォルダーに接触／非接触のデュアルインターフェースを有するＳＩＭが装着された際は、ＳＩＭフォルダーに備えられたアンテナを利用してＩＳＯ１４４４３規格に準じた非接触通信ができる識別デバイスを提供している。加えて、特許文献３においては、無線通信手段として近距離無線通信手段（例えば、ブルートゥース、Bluetooth）を備えたＳＩＭフォルダーを提供している。
【特許文献１】特開２００４−８６４０２号公報
【特許文献２】特開２００４−１１８７７１号公報
【特許文献３】特開２００４−２６４９１５号公報
【発明の開示】
【発明が解決しようとする課題】
【０００５】
しかしながら、上述した従来の技術では次の問題があった。第１の問題点は通信距離の問題である。特許文献１、２のＩＳＯ１４４４３規格に準じた非接触通信では、通信距離が数ｃｍしか得ることができず、非接触ＩＣカード用リーダライタとＳＩＭフォルダーは触れるように近づけないとデータ通信を行うことができなかった。通信距離が短いと、例えば、セキュリティエリア内において、識別デバイスを所持した使用者の位置情報をリモートで常時監視したい場合などで不都合が生じる。
【０００６】
第２の問題点は、無線通信以外の他の通信インターフェースを使用している間は、無線通信を実行できない点である。例えば、特許文献３に開示された技術を用いれば、無線通信手段を近距離無線通信手段とすることで、上述した第１の問題点は解決できるが、ＵＳＢコネクタ１１０がパソコン等のＵＳＢポートに差し込まれて使用しているときは、非接触通信手段は強制的に中断され、ＵＳＢコネクタ１１０をパソコンのＵＳＢポートに差し込んで使用しているときに、無線通信を実行することはできない。第２の問題も、セキュリティエリア内において、識別デバイスを所持した使用者の位置情報をリモートで常時監視しているときに、識別デバイスを所持した使用者の位置情報を把握できないときが生じるてしまう。
【０００７】
そこで、本発明は、上述の問題を鑑みて、特許文献１，２または３で開示されているような無線通信機能を備え、ＩＣカード（またはＳＩＭ）とリーダライタを一体化させた無線識別デバイスにおいて、無線通信手段の通信距離として１０ｍ程度もしくはそれ以上の通信距離を得ることができ、無線通信以外の他の通信インターフェース（例えば、ＵＳＢを使用した通信）を使用している間でも、無線通信を行うことができる無線識別デバイスを提供することを目的とする。
【課題を解決するための手段】
【０００８】
上述の課題を解決する第１の発明は、カード状の情報記憶媒体を装着し、無線データ通信機能を備えた無線識別デバイスであって、前記識別デバイスは、ＵＳＢを用いてコンピュータ装置とデータ通信する第１の通信手段と、前記識別デバイスに装着された前記情報記憶媒体とデータ通信する第２の通信手段と、前記情報記憶媒体から読み出したデータを、無線を利用して発信する近距離無線通信手段と、トリガ信号を生成するトリガ生成手段を備え、前記近距離無線通信手段は、前記トリガ生成手段が生成した前記トリガ信号に基づいて、前記データを発信することを特徴とする無線識別デバイスである。
【０００９】
なお、第１の発明において、前記カード状の情報記憶媒体は、ＩＣカードまたはＳＩＭ（Subscriber Identify Module）が望ましく、前記第２の通信手段は、ＩＳＯ７８１６規格に適合した通信手段であることが望ましい。加えて、前記近距離無線通信手段は、ブルートゥース（Bluetooth）等の２．４ＧＨｚ周波数帯を利用した近距離無線通信手段であることが望ましい。
【００１０】
第１の発明の作用によれば、前記無線識別デバイスが前記トリガ生成手段を備えることで、無線通信以外の他の通信インターフェースを使用している間でも、前記トリガ信号が発生すれば、前記情報記憶媒体から読み出した前記データを無線で発信することができる。また、無線手段を近距離無線通信手段（例えば、２．４ＧＨｚ周波数帯を利用した手段）とすることで、１０ｍ程度もしくはそれ以上の通信距離を得ることができる。
【００１１】
更に、第２の発明は、第１の発明に記載した無線識別デバイスにおいて、前記トリガ生成手段は、一定時間間隔を計測し、一定時間間隔が経過するごとに前記トリガ信号を発生する手段であることを特徴とする無線識別デバイスである。なお、第２の発明において、前記無線識別デバイスは、前記一定時間間隔を設定する時間間隔設定手段を備えていることが望ましい。第２の発明の作用によれば、一定時間間隔で前記トリガ信号を発生するため、一定時間間隔毎に前記情報記憶媒体から読み出した前記データを無線で発信することができる。
【００１２】
更に、第３の発明は、第１の発明に記載した無線識別デバイスにおいて、前記トリガ生成手段は手動でトリガ信号を発生させる手段であることを特徴とする無線識別デバイスである。なお、第３の発明において、手動でトリガ信号を発生させる前記トリガ生成手段は、押しボタンを利用した手段であることが望ましい。第３の発明の作用によれば、手動でトリガ信号が発生するため、任意のタイミングで前記情報記憶媒体から読み出した前記データを無線で発信することができる。
【００１３】
更に、第４の発明は、第１の発明記載した無線識別デバイスにおいて、第２の発明に記載した前記トリガ生成手段と第３の発明に記載した前記トリガ生成手段とを備えていることを特徴とする無線識別デバイスである。第４の発明の作用によれば、一定時間間隔毎かつ任意のタイミングで、前記情報記憶媒体から読み出した前記データを無線で発信することができる。
【発明の効果】
【００１４】
これまで述べた本発明によれば、特許文献１，２または３で開示されているような無線通信機能を備え、ＩＣカード（またはＳＩＭ）とリーダライタを一体化させた無線識別デバイスにおいて、無線通信手段を前記近距離無線通信手段とすることで、通信距離として１０ｍ程度もしくはそれ以上の通信距離を得ることができ、前記トリガ生成手段を備えることで、無線通信以外の他の通信インターフェース（例えば、ＵＳＢコネクタ１１０を使用した通信）を使用している間でも、カード状の情報記憶媒体（例えば、ＳＩＭ）から読み出したデータを無線で発信することができる無線識別デバイスを提供できる。
【発明を実施するための最良の形態】
【００１５】
＜＜＜識別デバイス＞＞＞
ここから、本発明の無線識別デバイス１００について、図を参照しながら詳細に説明する。図１は無線識別デバイス１００の外観の一例を示した図である。図１に示したように無線識別デバイス１００の左側には、ＵＳＢコネクタ１１０としてＡコネクタ（オス）を備え、右側にはＳＩＭ３００を挿入するスロット１５０が設けられている。スロットからＳＩＭ３００を挿入することで、無線識別デバイス１００内にＳＩＭ３００が装着され、無線識別デバイス１００は、ＩＣカードとリーダライタを一体化させた無線識別デバイスとして使用できる。
【００１６】
なお、図１においては、ＵＳＢコネクタ１１０をＡコネクタ（オス）としているが、ＵＳＢコネクタ１１０はミニＢコネクタ（メス）であってもよい。ＵＳＢコネクタはミニＢコネクタ（メス）とすることで、無線識別デバイス１００のＵＳＢコネクタ１１０部の出っ張りを無くすことができる。
【００１７】
無線識別デバイス１００に備えられた無線通信手段（例えば、アンテナ等）は、無線識別デバイス１００内部に電気回路と共に内蔵され、無線識別デバイス１００の外側から無線通信手段は見えない構造となっている。図１に示したように、無線識別デバイス１００の外側には、前述したＵＳＢコネクタ１１０に加え、情報を表示する液晶ディスプレイ１２０、無線で情報を送信するときに使用する無線通信ボタン１３３、電源の入／切を行う電源ボタン１３０、液晶ディスプレイ１２０に表示されるメニュー情報から一つの情報を選択するときに使用する選択ボタン１３１、選択ボタン１３１で選択した情報を決定するときに使用する決定ボタン１３２、電源の入／切の状態を表示するＬＥＤ１４０、そして、無線識別デバイス１００をキーホルダー等に取付けるためのキー取付け穴１４１を備えている。
【００１８】
本実施の形態において、液晶ディスプレイ１２０は、コストの安いＳＴＮ液晶（Super Twisted Nematic liquid crystal)としている。無線識別デバイス１００のディスプレイとしては、薄型で消費電力の小さいディスプレイが望ましく、ＳＴＮ液晶よりも表示能力に優れているがコストの高いＴＦＴ液晶（Thin Film Transistor）、ＤＳＴＮ液晶（Dual-scan Super Twisted Nematic）や、有機ＥＬディスプレイ（organic electroluminescence display）等のディスプレイも、無線識別デバイス１００のディスプレイとして利用できる。
【００１９】
図２は、無線識別デバイス１００に内蔵された電気回路の概要を説明する一例である。図２に示したように、無線識別デバイス１００に内蔵された電気回路には、ＣＰＵ２００（Central Processing Unit）、メモリ２１０、タイマー回路２２０、ＵＳＢコントローラ２６０、液晶コントローラ２４０、ＳＩＭコントローラ２３０、接続端子板２４１、無線通信コントローラ２５０、アンテナ２５１、ボタンスイッチ２７０〜２７３、電池２８０などが実装される。なお、図２には、本発明に係わる無線識別デバイス１００の説明に必要なコンポーネントのみを記載し、電気回路として動作するために必要な他のコンポーネント（例えば、クロック信号生成器）は図示していない。
【００２０】
図２において、ＣＰＵ２００とは、メモリ２１０に記憶されたプログラムを実行し、電気回路に実装されたコンポーネントを制御する役割を果たす。メモリ２１０はデータを記憶する装置で、ＣＰＵ２００が実行するプログラムや、処理中のデータを一時的に記憶する役割を果たす。無線識別デバイス１００は、メモリ２１０として、フラッシュＲＯＭ（Read Only Memory）とＳＲＡＭ（Static Random Access Memory）の２つのメモリを有している。
【００２１】
タイマー回路２２０とは時間を計測する回路で、無線通信を実行することを意味する信号であるトリガ信号を一定時間間隔毎に発生する役割を果たす。ＣＰＵ２００は、タイマー回路２２０に一定時間間に対応するカウンター値を設定し、タイマー回路２２０をスタートさせる。タイマー回路２２０は、外部または内部からクロック信号が入力されるごとにカウンター値を減算し、カウンター値が「０」になるとトリガ信号を発生させ、発生したトリガ信号はＣＰＵ２００に入力される。
【００２２】
ＵＳＢコントローラ２６０とは、コンピュータ装置と無線識別デバイス１００とのＵＳＢによる通信を制御する回路で、ＵＳＢコネクタ１１０およびＵＳＢコントローラ２６０で、コンピュータ装置と無線識別デバイス１００との通信手段が実現されている。
【００２３】
液晶コントローラ２４０とは、液晶ディスプレイ１２０を駆動させ、ＣＰＵ２００から送信された情報の表示など、液晶ディスプレイ１２０を制御する回路である。
【００２４】
ボタンスイッチ２７０〜２７３とは、無線識別デバイス１００に備えられたボタン（電源ボタン１３０、選択ボタン１３１、決定ボタン１３２および無線通信ボタン１３３）の状態を電気信号に変える手段である。電源ボタン１３０が押された状態になると、電池２８０から電気回路に電源が供給される。また、選択ボタン１３１または決定ボタン１３２が押された状態になると、それぞれ選択ボタン１３１または決定ボタン１３２が押されたことを示す電気信号（例えば、パルス信号）がＣＰＵ２００に入力される。
【００２５】
無線通信ボタン１３３は、無線通信を実行することを意味する信号であるトリガ信号を手動で発生せる手段である。無線通信ボタン１３３が押されると、無線通信ボタン１３３に対応するボタンスイッチ２７３は、トリガ信号（例えば、パルス信号）を発生させ、発生されたトリガ信号はＣＰＵ２００に入力される。
【００２６】
ＳＩＭコントローラ２３０とは、無線識別デバイス１００に挿入されたＳＩＭ３００とのとの通信を制御する回路で、ＳＩＭ３００を動作させるために必要な機能、例えば、クロック信号やリセット信号等の電気信号を生成する機能、ＩＳＯ７８１６に準拠した通信プロトコルを制御する機能などを有している。
【００２７】
図３は、無線識別デバイス１００に挿入されるＳＩＭ３００を説明する図である。ＳＩＭ３００とは、図３に示したように、ＩＣカードのＩＣチップ３０１近傍を短冊状に切り取った形状をしており、ＵＩＭ（User Identify Module）も図３に示したカード形状と同じ形状をしている。
【００２８】
本実施の形態において、ＳＩＭ３００に実装されるＩＣチップ３０１はＩＳＯ７８１６規格に準拠した接触通信のみに対応し、ＩＣチップ３０１には無線識別デバイス１００の所有者を識別するデータ（以下、所有者識別データと記す）が少なくとも記憶されている。所有者識別データは、ＩＣチップ３０１のメモリ２１０（ＥＥＰＲＯＭやＰＲＯＭ）に書き込まれデータでもよく、ＩＣチップ３０１ごとに異なるＩＣチップ製造番号を所有者識別データとして使用してもよい。
【００２９】
なお、本実施の形態において、ＩＣチップ３０１の通信インターフェースは接触インターフェースのみとしているが、本出願人に係わる特許文献２で開示されている発明を本発明のＳＩＭ３００に適用すれば、ＩＳＯ１４４４３規格に準拠した非接触近接通信による通信も可能である。加えて、本発明においては、ＩＣチップ３０１に実装されるＯＳ（Operating System）およびアプリケーションプログラムの種別を問はない。
【００３０】
図４は、ＳＩＭ３００が無線識別デバイス１００に装着された状態を説明する図である。図４（ａ）に示したように、ストッパー１６０などを設けることで、無線識別デバイス１００挿入されたＳＩＭ３００は無線識別デバイス１００内の所定の位置に止まる。所定の位置にセットされたＳＩＭ３００のＩＣチップ３０１面と対向する位置には、接続端子板２４１が設けられている。
【００３１】
図２に示しているように、接続端子板２４１の表面には８個の接続端子２４１ａが設けられ、ＳＩＭ３００が挿入されると、それぞれのターミナルはＩＣチップ３０１の各接触端子と接続する。また、図４（ｂ）に示したように、接続端子２４１ａは押さえばねの機能も有し、ＩＣチップ３０１と電気的に接続する役割に加えて、無線識別デバイス１００に挿入されたＳＩＭ３００を保持する役割も同時に果たしている。
【００３２】
図２に示し、無線識別デバイス１００に備えられた無線通信コントローラ２５０は、アンテナ２５１を利用して図外の無線リーダライタと通信する役割を果たす。本実施の形態において、無線通信で使用する周波数帯は２．４ＧＨｚ帯である。１３．５６ＭＨｚ帯の周波数を使用するＩＳＯ１４４４３規格では１０ｃｍ程度の通信距離しか実現できないが、２．４５ＧＨｚ帯の周波数を使用する無線通信規格（例えば、BluetoothやZigBee）では最大３０ｍ程度までの通信距離を実現できる。なお、図２において、アンテナ２５１は、棒状小片のセラミック材に金導電材をらせん状に焼成したアンテナ２５１としている。
【００３３】
図２に示した無線通信コントローラ２５０は、アンテナ２５１を用いて、ＳＩＭ３００に記憶された所有者識別データを無線で発信する役割を果たす。電源ボタン１３０が押されることにより無線識別デバイス１００に電源が入ると、ＣＰＵ２００はＳＩＭ３００に記憶された所有者識別データを読み取り、ＣＰＵ２００は読み取った所有者識別データをメモリ２１０のＳＲＡＭに記憶する。そして、無線通信コントローラ２５０はＣＰＵ２００から指示を受けると、アンテナ２５１を利用して、前記ＳＲＡＭに記憶した所有者識別データを無線で発信する。
【００３４】
なお、本実施の形態における無線識別デバイス１００に備えられた無線通信コントローラ２５０は、３通りの方法で所有者識別データを無線で発信する機能を有している。無線識別デバイス１００が有している一つ目の発信方法は「任意発信」で、二つ目の発信方法は「一定時間発信」で、三つ目の発信方法は「任意発信および一定時間発信」である。それぞれの発信方法の選択は、電源投入時に液晶ディスプレイ１２０を用いて選択される。
【００３５】
一つ目の発信方法である「任意発信」とは、トリガ信号を無線通信ボタン１３３が発生するトリガ信号のみとし、無線通信ボタン１３３が押されたときのみに、所有者識別データを発信する方法である。無線通信ボタン１３３が押されると、無線通信ボタン１３３に対応したボタンスイッチ２７３からＣＰＵ２００にトリガ信号が入力され、ＣＰＵ２００から無線コントローラに所有者識別データの発信を要求する命令が送られ、無線コントローラは所有者識別データを発信する。すなわち、「任意発信」とは、所有者識別データをワンショットで送信する発信方法で、例えばドアゲートの開閉時に適した方法である。
【００３６】
二つ目の発信方法である「一定時間発信」とは、トリガ信号をタイマー回路２２０が発生するトリガ信号のみとし、予め指定された一定時間間隔ごとに所有者識別データを発信する方法である。液晶ディスプレイ１２０で「一定時間発信」が選択されると、ＣＰＵ２００は、設定された一定時間間隔（例えば５分）にカウンター値を設定しタイマー回路２２０を作動させる。そして、タイマー回路２２０が一定時間を計測すると、タイマー回路２２０からＣＰＵ２００にトリガ信号（例えば、割り込み信号）が入り、ＣＰＵ２００は無線コントローラに所有者識別データを発信する指示を出す。ＣＰＵ２００は無線コントローラに所有者識別データを発信する指示を出した後、上述したタイマー回路２１０の操作を繰り返し実行する。すなわち、「一定時間発信」とは、一定の時間間隔毎に所有者識別データを発信し続ける方法で、無線識別デバイス１００を所持する所有者の位置情報の監視に適した方法である。
【００３７】
三つ目の発信方法である「任意発信および一定時間発信」とは、上述した「任意発信」と「一定時間発信」の二つの機能を兼ね備えた発信方法で、トリガ信号をタイマー回路２２０が発生するトリガ信号と、トリガ信号を無線通信ボタン１３３が発生するトリガ信号とし、いずれかのトリガ信号が発生した場合に、ＣＰＵ２００は無線通信コントローラ２５０に所有者識別データの発信指示を出す。なお、上述した発信方法の説明では、所有者識別データを一つとして記述していたが、無線コントローラは、「任意発信」および「一定時間発信」で異なる所有者識別データを発信してもよい。
【００３８】
図２で示した電気回路の各要素の機能をより詳細に説明するために、図５に電気回路のブロック図を示す。図５には、図２のメモリ２１０をＳＲＡＭ２１２とフラッシュＲＯＭ２１１に分けて記載し、また図２には記載していない充電回路２９１を記載している。
【００３９】
図５に示したように、無線識別デバイス１００に実装された電池２８０と電源供給ライン２９０の間には、電源ボタン１３０に対応したボタンスイッチ２７０が設けられ、このボタンスイッチ２７０がＯＮ状態になると、図５に示した各コンポーネントに電池２８０から電力が供給される。本実施の形態において、電池２８０は二次電池（例えば、小型のリチウム電池）を採用し、ＵＳＢコネクタ１１０がＵＳＢポートに接続されている間は、ＵＳＢバスパワー（bus power）から電力が充電回路２９１に供給され、電池２８０（二次電池）に電力が充電される仕組みとしている。
【００４０】
電源ボタン１３０に対応するボタンスイッチ２７０がＯＮ状態になるとＣＰＵ２００が動作する。ＣＰＵ２００が実行するプログラムはフラッシュＲＯＭ２１１に記憶されている。電源が投入されると、ＣＰＵ２００は電気回路の初期チェック等を行い、電気回路に問題がなければ、前述した発信方法の選択プログラムを実行する。
【００４１】
図６は、発信方法の選択プログラム動作中に、液晶ディスプレイ１２０に表示される情報を示した一例である。発信方法の選択プログラムが動作すると、ＣＰＵ２００は、図６（ａ）の液晶コントローラ２４０に発信方法を選択するメニュー画面を表示させる。無線識別デバイス１００の所有者は、選択ボタン１３１を押すことで、図６（ａ）のメニュー画面で３つの発信方法の中から、一つの発信方法を選択し、決定ボタン１３２を押すことで選択した発信方法が決定される。
【００４２】
発信方法を選択・決定された情報は、選択ボタン１３１および決定ボタン１３２に対応したそれぞれのボタンスイッチ２７１、２７２からＣＰＵ２００に入力される。ＣＰＵ２００は、選択ボタン１３１が押された回数から、選択された発信方法を特定でき、発信方法を特定した内容を図６（ａ）のメニュー画面に反映する（例えば、選択された発信方法の左横に表示した○印を白丸から黒丸に変更するなど）。また、ＣＰＵ２００は、決定ボタン１３２が押されることで、発信方法が選択されたことを知ることができる。
【００４３】
図６（ａ）のメニュー画面において、「一定時間発信」または「任意発信および一定時間発信」が選択された場合は、図６（ｂ）の発信時間間隔を決定するメニュー画面を表示させるデータを液晶コントローラ２４０に送る。図６（ｂ）の発信時間間隔を決定するメニューにおいては、上述したように、選択ボタン１３１と決定ボタン１３２で発信時間間隔が決定される。図６（ｂ）においては、発信時間間隔を選択するメニュー画面を一例として記載しているが、発信時間間隔を入力する画面であっても当然構わない。
【００４４】
上述の手順で発信方法（および発信時間間隔）が決定されると、ＣＰＵ２００は、決定したデータをＳＲＡＭ２１２に記憶する。そして、ＣＰＵ２００はＳＩＭコントローラ２３０に対して、ＳＩＭ３００に記憶された所有者識別データを読み取る命令を送信する。ＳＩＭコントローラ２３０はＩＳＯ７８１６で記載された手順でＩＣチップ３０１を活性化させた後、ＩＣチップ３０１から所有者識別データを読み取り、読み取った所有者識別データをＣＰＵ２００に返送する。ＣＰＵ２００は、ＳＩＭコントローラ２３０から返信された所有者識別データをＳＲＡＭ２１２に記憶する。なお、所有者識別データを読み取った後、電力を節約するために、ＳＩＭコントローラ２３０はＩＳＯ７８１６で記載された手順でＩＣチップ３０１を不活性化させている。
【００４５】
上述の手順で発信方法と発信時間間隔が決定され、ＳＩＭ３００から所有者識別データを取得した後、ＣＰＵ２００にトリガ信号が入力されると、ＣＰＵ２００は無線通信コントローラ２５０に所有者識別データの発信指示を出す。無線コントローラは、ＳＲＡＭ２１２から所有者識別データを取得し、アンテナ２５１を利用して取得した所有者識別データを無線で発信する。ＩＳＯ１４４４３規格において非接触ＩＣカードは、リーダライタからコマンド受信するとレスポンスを返信するが、本発明の無線識別デバイス１００は、リーダライタからのコマンド受信することなく、トリガ信号が発生するたびに所有者識別データを無線で発信する。
【００４６】
発信方法が「任意発信」または「任意発信および一定時間発信」の場合は、無線通信ボタン１３３が押されボタンスイッチ２７３からトリガ信号がＣＰＵ２００に入力された場合のみ、所有者識別データは無線で発信される。
【００４７】
発信方法が「一定時間発信」または「任意発信および一定時間発信」の場合は、所有者識別データは一定時間間隔で発信される。本実施の形態において、無線識別デバイス１００には、ＣＰＵ２００とは別に、一定時間間隔を測定するタイマー回路２２０が設けられている。ＣＰＵ２００は、液晶ディスプレイ１２０を利用して決定され、ＳＲＡＭ２１２に記憶された一定時間間隔のデータに対応するカウンター値をタイマー回路２２０にセットし、タイマー回路２２０を作動させ、一定時間間隔が経過すると（例えば、カウンター値が０になると）、トリガ信号（例えば、タイマーの割り込み信号）をＣＰＵ２００に入力する。ＣＰＵ２００は、タイマー回路２２０からトリガ信号が入力されると、ＣＰＵ２００は無線通信コントローラ２５０に所有者識別データを発信する命令を送信する。この動作を繰り返すことで、無線識別デバイス１００は一定時間間隔ごとに所有者識別データを無線で発信する。
【００４８】
無線識別デバイス１００に備えられたＵＳＢコネクタ１１０およびＵＳＢコントローラ２６０は、コンピュータ装置と無線識別デバイス１００がデータ通信するときに使用される。無線識別デバイス１００に備えられたＵＳＢコネクタ１１０が、ホストＰＣのＵＳＢポートに差し込まれると、ＣＰＵ２００はＳＩＭ３００を自動的に活性化し、ＵＳＢコントローラ２６０は、ＵＳＢコネクタ１１０を介してホストＰＣから伝送された電気信号の自動処理や、ＵＳＢプロトコルの自動処理を行い、ホストＰＣから伝送されたデータをＳＲＡＭ２１２に記憶する。
【００４９】
そして、ＣＰＵ２００は、ＵＳＢコントローラ２６０からデータを受信完了した信号を受取ると、ＳＲＡＭ２１２からＵＳＢコントローラ２６０が受信したデータを取得し、取得したデータはＳＩＭコントローラ２３０を介してＳＩＭ３００に伝送される。ＳＩＭ３００からレスポンスデータがあると、ＳＩＭコントローラ２３０はレスポンスデータをＳＲＡＭ２１２に記憶し、ＣＰＵ２００は、ＳＲＡＭ２１２に記憶されたレスポンスデータをコンピュータ装置に送出する指示をＵＳＢコントローラ２６０に出す。
【００５０】
このように、無線識別デバイス１００がＵＳＢを利用した通信手段を備えることで、無線識別デバイス１００がコンピュータ装置のＵＳＢポートに差し込まれると、コンピュータ装置は電子マネーや電子チケットなどアプリケーションの情報を、ＵＳＢポート経由で無線識別デバイス１００に転送し、無線識別デバイス１００に装着されたＳＩＭ３００に記憶／読出しすることができる。
【００５１】
なお、本実施の形態においては、ＣＰＵ２００が無線コントローラ２５０にデータを発信する指示を出すが、無線コントローラ２５０をＣＰＵ２００とは独立して動作する回路としてもよい。図７は、無線コントローラ２５０ａがＣＰＵ２００ａとは独立して動作するときのブロック図である。なお、図７のブロック図において、ＣＰＵ２００ａ、ボタンスイッチ２７３ａ、無線通信コントローラ２５０ａ、タイマー回路２００ａとが、図５のブロック図と異なり、他のコンポーネントは同じである。
【００５２】
図７に示したように、無線通信ボタン１３３に対応したボタンスイッチ２７３ａまたはタイマー回路２２０ａが発生するトリガ信号は、ＣＰＵ２００ａではなく無線通信コントローラ２５０ａに入力される。この場合は、無線通信コントローラ２５０は、一旦、ＣＰＵ２００からデータ（発信方法、一定時間間隔および所持者識別データ）を受取ると、トリガ信号が入力されるたびに、アンテナ２５１を利用して無線で所持者識別データを発信する。
【００５３】
＜＜＜無線識別デバイスの応用例＞＞＞
ここから、本実施の形態の無線識別デバイスをオフィスに適用した一例について簡単に記述する。図８は、オフィスでの無線識別デバイスの利用形態を示した図である。エントランスおよびセキュリティルーム入り口にはドアゲート４００、４０１を設け、無線識別デバイス（例えば、図１）の所持者が入退場する時には任意発信方法により、ワンショットで所有者識別データを無線で発信することで、ドアゲート４００、４０１の開閉を管理できる。また、一定時間発信方法により、エントランス、オフィスルーム、ミーティングルームおよびセキュリティルームには無線リーダ４１０から４１３を設け、無線識別デバイスが一定時間間隔（例えば、５分間隔）で所有者識別データを発信する電波を、無線リーダ４０１から４１３が検知することで、無線識別デバイスの所持者の位置情報（例えば、無線識別デバイスの所持者がいる場所等）を管理把握できる。
【００５４】
更に、オフィスまたはセキュリティルームに設置されたＰＣ４２０、４２１にはＰＫＩ等を利用したログオン管理機能が備えられており、識別デバイスが有するＵＳＢ通信機能を利用してＰＣ４２０、４２１のログオン管理を行うことができる。
【００５５】
上述したオフィスでの利用は、単に本発明の識別デバイスの一例を述べたに過ぎず、会社などの構築物の中だけでなく、敷地構内全体(例えば、テーマパーク)に無線リーダライタを配しておくことにより構内での所持者の位置情報を把握できる。また市街地にも同じように配置しておけば、例えば老人などの徘徊者の位置確認なども行える。
【図面の簡単な説明】
【００５６】
【図１】識別デバイスの外観図。
【図２】識別デバイスの電気回路図。
【図３】ＳＩＭの説明図。
【図４】ＳＩＭを識別デバイスに装着した状態を説明する図。
【図５】電気回路の第１のブロック図。
【図６】液晶ディスプレイに表示される情報の一例を示した図。
【図７】電気回路の第２のブロック図。
【図８】識別デバイスをオフィスに適用した一例を示した図。
【符号の説明】
【００５７】
１００  識別デバイス
１１０  ＵＳＢコネクタ
１２０  液晶ディスプレイ
１３３  無線通信ボタン
２００  ＣＰＵ
２１０  メモリ
２１１  フラッシュＲＯＭ
２１２  ＳＲＡＭ
２２０  タイマー回路
２３０  ＳＩＭコントローラ
２４０  ＬＣＤコントローラ
２５０  無線通信コントローラ
２６０  ＵＳＢコントローラ
２７０〜２７３  ボタンスイッチ
２８０  電池
【図１】
2006134171.tif 000003
【図２】
2006134171.tif 000004
【図３】
2006134171.tif 000005
【図４】
2006134171.tif 000006
【図５】
2006134171.tif 000007
【図６】
2006134171.tif 000008
【図７】
2006134171.tif 000009
【図８】
2006134171.tif 000010